(57)【要約】      （修正有）【課題】着脱可能な荷物収納袋を有するランドセルカバーであって、荷物収容袋に荷物を出し入れする場合でも、荷物収容袋をランドセルカバーから着脱する場合でも、ランドセルの被せ蓋を開ける必要のないランドセルカバーを提供する。【解決手段】ランドセルに被せるランドセルカバー２０であって、ランドセルの開口部を開閉するための被せ蓋に取り付け可能なカバー本体２１と、被せ蓋を閉めた状態においてカバー本体に着脱可能な荷物収納袋２２と、カバー本体に設けられ、荷物収納袋を折り畳んだ状態で収納可能なポケットとを備える。【選択図】図４
0003224456.tif 000002
【実用新案登録請求の範囲】
【請求項１】
ランドセルに被せるランドセルカバーであって、
前記ランドセルの開口部を開閉するための被せ蓋に取り付け可能なカバー本体と、
前記被せ蓋を閉めた状態において前記カバー本体に着脱可能な荷物収納袋と、
前記カバー本体に設けられ、前記荷物収納袋を折り畳んだ状態で収納可能なポケットと、
を備えることを特徴とするランドセルカバー。
【請求項２】
前記荷物収納袋は、上部には前記カバー本体の上部と着脱可能な取付ファスナが設けられると共に、下部には前記カバー本体の下部と着脱可能であるホックが設けられていることを特徴とする請求項１に記載のランドセルカバー。
【請求項３】
前記荷物収納袋は、前記取付ファスナおよび前記ホックにより前記カバー本体に取り付けた状態で、荷物を出し入れするための荷物出し入れ口を構成する荷物収納袋ファスナが表側に位置することを特徴とする請求項２に記載のランドセルカバー。
【請求項４】
前記取付ファスナが開くのを防止するためのスライド防止ホックと、をさらに備えることを特徴とする請求項２または３に記載のランドセルカバー。
【請求項５】
前記荷物収納袋には持ち手が設けられていることを特徴とする請求項１記載のランドセルカバー。
【考案の詳細な説明】
【技術分野】
【０００１】
本考案は、ランドセルの被せ蓋を被うランドセルカバーに関し、特に着脱自在な荷物収容袋を備えるランドセルカバーに関する。
【背景技術】
【０００２】
従来、ランドセルに入り切らない荷物を手提げ型の荷物収容袋に入れ、その荷物収容袋をランドセルカバーに着脱自在にしたものがあった（例えば、特許文献１を参照）。
【先行技術文献】
【特許文献】
【０００３】
【特許文献１】実用新案登録第３１８４８４０号公報
【考案の概要】
【考案が解決しようとする課題】
【０００４】
しかしながら、上述の従来技術は、ランドセルの閉蓋状態時において荷物収容袋がランドセル本体前面部とランドセルカバー内面部との間に位置するため、荷物収容袋に荷物を出し入れする度にランドセルの被せ蓋を開けなければならず、手間がかかる、という問題があった。
【０００５】
また、荷物収容袋をランドセルカバーから着脱する場合にも、ランドセルの被せ蓋を開けなければならず、手間がかかる、という問題があった。
【０００６】
本考案は、上述のような実状に鑑みてなされたものであり、着脱可能な荷物収納袋を有するランドセルカバーであって、荷物収容袋に荷物を出し入れする場合でも、荷物収容袋をランドセルカバーから着脱する場合でも、ランドセルの被せ蓋を開ける必要のない、ランドセルカバーを提供することが課題である。
【課題を解決するための手段】
【０００７】
上記課題を解決するために、下記のような構成を採用した。
すなわち、請求項１に記載の考案は、ランドセルに被せるランドセルカバーであって、前記ランドセルの開口部を開閉するための被せ蓋に取り付け可能なカバー本体と、前記被せ蓋を閉めた状態において前記カバー本体に着脱可能な荷物収納袋と、前記カバー本体に設けられ、前記荷物収納袋を折り畳んだ状態で収納可能なポケットと、を備えることを特徴とする。
【０００８】
本考案により、前記荷物収容袋に荷物を出し入れする場合に、前記ランドセルの被せ蓋を開ける必要がなく、前記荷物収容袋を前記ランドセルカバーから着脱する場合に、前記ランドセルの被せ蓋を開ける必要がない。
【０００９】
請求項２に記載の考案は、請求項１に記載の考案であって、上部には前記カバー本体の上部と着脱可能な取付ファスナが設けられると共に、下部には前記カバー本体の下部と着脱可能であるホックが設けられていることを特徴とする。
【００１０】
本考案により、前記カバー本体に取り付けられた前記荷物収納袋が、不用意に動くことがない。
【００１１】
請求項３に記載の考案は、請求項２に記載の考案であって、前記荷物収納袋が、前記取付ファスナおよび前記ホックにより前記カバー本体に取り付けた状態で、荷物を出し入れするための荷物出し入れ口を構成する荷物収納袋ファスナが表側に位置することを特徴とする。
【００１２】
本考案により、前記荷物収納袋が前記カバー本体に取り付けられた状態で荷物の出し入れをすることが可能である。
【００１３】
請求項４に記載の考案は、請求項２または３に記載の考案であって、前記取付ファスナが開くのを防止するためのスライド防止ホックをさらに備えることを特徴とする。
【００１４】
本考案により、不用意に前記取付ファスナが開くのを防止することができる。
【００１５】
請求項５記載の考案は、前記荷物収納袋には持ち手が設けられていることを特徴とする。
【００１６】
本考案により、前記荷物収納袋を手で持って容易に搬送することができる。
【考案の効果】
【００１７】
本考案によれば、荷物収納袋をカバー本体に着脱可能に備えることにより、ランドセルに入り切らない荷物を荷物収納袋に収納した場合に、荷物収納袋をランドセルカバーに取り付けたまま持ち運ぶことも可能であるし、取り外して持ち運ぶことも可能である上に、荷物収容袋に荷物を出し入れする場合でも、荷物収容袋をランドセルカバーから着脱する場合でも、ランドセルの被せ蓋を開ける必要のない、という効果を奏する。
【図面の簡単な説明】
【００１８】
【図１】本考案の実施形態に係るランドセルカバーを適用するランドセルの斜視図である。
【図２】本考案の実施形態に係るランドセルカバーの表面図である。
【図３】本考案の実施形態に係るランドセルカバーの裏面図である。
【図４】本考案の実施形態に係るランドセルカバーの表面図であって、荷物収納袋を荷物収納可能にランドセルカバーに取り付けた状態を示す図である。
【図５】本考案の実施形態に係るランドセルカバーの表面図であって、スライド防止ホックを備えたランドセルカバーの表面図である。
【図６】本考案の実施形態に係るランドセルカバーが備える荷物収納袋の表面図である。
【図７】本考案の実施形態に係るランドセルカバーが備える荷物収納袋の裏面図である。
【考案を実施するための形態】
【００１９】
以下に図面を参照して、本考案を実施するために好適な実施の形態を例示的に詳しく説明する。ただし、本実施の形態に記載されている構成部品の寸法、材質、形状、その相対配置などは、特に特定的な記載がない限りは、本考案の範囲をそれらのみに限定する趣旨のものではない。
【００２０】
図１は、本考案の実施形態に係るランドセルカバーを適用するランドセルの斜視図である。
【００２１】
ランドセル１０は、ランドセル本体１１、上方に開口した開口部１２を開閉可能にする被せ蓋１３、吊下げ金具１４、ベロ１５、サガリ金具１６、および一対の肩ベルト１７を備える。
【００２２】
ランドセル本体１１は、ランドセル１０を背負ったときに使用者の背中が接する背板部１１ａ、背板部１１ａに垂直であって開口部１２の反対側に位置する底面部１１ｂ、背板部１１ａおよび底面部１１ｂに垂直な右側面部１１ｃおよび左側面部１１ｄ、背板部１１ａに対向する正面部１１ｅで構成された、上方に開口するボックス形状である。
【００２３】
被せ蓋１３は、表皮、裏皮、および表皮と裏皮とで挟まれたクッション材等から構成される多重構造体である。表皮および裏皮は、例えば皮革または合成皮革であり、クッション材は、例えば発泡樹脂である。被せ蓋１３は、その基端部がランドセル本体１１の背板部１１ａの上部に接続されており、開口部１２の上方を通ってランドセル本体１１の正面部１１ｅに当接するように垂れ下がる。
【００２４】
被せ蓋１３の基端部とは反対側の自由端部には、ベロ１５の一端が固定されている。ベロ１５の他端にはサガリ金具１６が固定されており、ランドセル本体１１の底面部１１ｂに固定された不図示の被連結部によって、サガリ金具１６が底面部１１ｂに着脱可能に係止される。使用者は、被せ蓋１３を開状態にして、教科書、ノート、筆記用具等をランドセル本体１１に出し入れすることが可能である。
【００２５】
吊下げ金具１４は、リング状またはＵ字状に形成された金属製の部品であり、壁、机等に設けられたフック等にランドセル１０を掛けて吊すことが可能となるように、ランドセル本体１１の背板部１１ａの上部に固定されている。
【００２６】
サガリ金具１６は、被連結部に設けられた不図示の摘体と係合可能な矩形状の係合孔を有する。係合孔に摘体が挿通され、摘体が係合孔と交差する状態に回動されることによってサガリ金具１６が保持される。また、摘体が係合孔に沿う状態に回動され、係合孔から摘体が抜き取られることによってサガリ金具１６が解放される。
【００２７】
一対の肩ベルト１７は、ランドセル本体１１の背板部１１ａの上部と底面部１１ｂとに接続されている。一般的には、一対の肩ベルト１７の各下端部は、ランドセル本体１１の底面部１１ｂに左右方向に互いに離間して固定されている。
【００２８】
図２は、本考案の実施形態に係るランドセルカバーの表面図であり、図３は、本考案の実施形態に係るランドセルカバーの裏面図である。
【００２９】
ランドセルカバー２０は、図１を用いて説明したようなランドセル１０を雨から保護するために、または傷つくのを防ぐためにランドセル１０に被せるもので、カバー本体２１およびポケット２３を備える。
本実施の形態に係るランドセルカバー２０は、ランドセル１０の開口部１２を開閉するための被せ蓋１３に取り付け可能なカバー本体２１と、被せ蓋１３を閉めた状態においてカバー本体２１に着脱可能な荷物収納袋２２と、カバー本体２１に設けられ、荷物収納袋２２を折り畳んだ状態で収納可能なポケット２３とを備えている。
【００３０】
カバー本体２１は、柔軟性を有するポリエステル等で形成され、図２および３に示すように、シート状の矩形形状である。また、カバー本体２１は、ランドセル１０の被せ蓋１３の外面を被覆することが可能なように、被せ蓋１３に対応する形状であって、被せ蓋１３の幅寸法よりも広い寸法を有し、長さ寸法よりも長い寸法を有する。例えば、１０〜２０ｍｍ広く、１０〜２０ｍｍ長い寸法を有する。
【００３１】
カバー本体２１の短辺部のうちの１つには、図２および３に示すように、ランドセル１０の吊下げ金具１４にランドセルカバー２０を取り付けるための取付片２８が設けられている。取付片２８は、例えば、雌雄のボタンを係合ことによって環状を形成することで、吊下げ金具１４にランドセルカバー２０を取り付けることが可能である。
【００３２】
カバー本体２１の短辺部のうちの他の１つ側には、図４乃至６を用いて後述する荷物収納袋２２が備える雄側ホック２５ａ（図７を参照）と係合可能な２つの雌側ホック２５ｂが固定されている。雄側ホック２５ａおよび雌側ホック２５ｂによってホック２５が構成される。
【００３３】
ポケット２３は、ナイロンまたはポリエステル等の布材、ビニールまたは合成皮革等の合成樹脂材、高強度に加工した紙材等、柔軟性があり薄手の材料で形成されている。ポケット２３は、図２に示すように、カバー本体２１の表側であって、取付片２８が設けられた短辺部寄りに設けられ、荷物収納袋２２を折り畳んだ状態で収納することが可能である。ポケット２３には、図２に示すように、開閉自在なスライドファスナ等のポケットファスナ２６が設けられ、ポケットファスナ２６を開けることで荷物収納袋２２をポケット２３に収納する。ポケット２３は、例えば、布または合成樹脂で形成され、不透明である。
これにより、荷物収納袋２２を使用しないときにポケット２３に収納された荷物収納袋２２が外部から視認されることがない。ポケットファスナ２６は、例えば開閉自在なスライドファスナである。
【００３４】
カバー本体２１の裏側には、図３に示すように、紐部材２９および帯部材３１が設けられている。紐部材２９は、カバー本体２１の幅寸法に対応する長さを有する紐状の部材であり、取付片２８が設けられた短辺部寄りに、カバー本体２１の２つの長辺部分で両端が固定されている。また、帯部材３１は、カバー本体２１の幅寸法に対応する長さを有する帯状の部材であり、取付片２８が設けられた短辺部と反対側の短辺部寄りに、カバー本体２１の２つの長辺部分で両端が固定されている。それにより貫通孔３０が形成される。
【００３５】
そして、カバー本体２１と紐部材２９との間に、取付片２８が設けられた短辺部側から、ランドセル１０のサガリ金具１６、ベロ１５、被せ蓋１３の順に挿通し、更に、カバー本体２１と帯部材３１との間に形成された貫通孔３０に、サガリ金具１６およびベロ１５を挿通する。その後、取付片２８をランドセル１０の吊下げ金具１４に取り付ける。これにより、カバー本体２１は、ランドセル１０の開口部１２を開閉するための被せ蓋１３に取り付けることが可能である。
【００３６】
図４は、本考案の実施形態に係るランドセルカバーの表面図であって、荷物収納袋を荷物収納可能にランドセルカバーに取り付けた状態を示す図である。
【００３７】
ランドセルカバー２０は、カバー本体２１およびポケット２３に加え、更に荷物収納袋２２を備える。
【００３８】
荷物収納袋２２は、ランドセル１０に入り切らない荷物を収納するための手提げ型の袋である。荷物収納袋２２は、例えば、ナイロンまたはポリエステル等の布材、ビニールまたは合成皮革等の合成樹脂材、高強度に加工した紙材等、柔軟性があり薄手の材料で折り畳み自在に形成されている。
【００３９】
荷物収納袋２２は、ポケット２３に折り畳んで収納された状態から、ポケットファスナ２６を開け、図４に示すように、外部に引き出して広げられる。荷物収納袋２２は、上部が取付ファスナ２４によりカバー本体２１の上部と着脱可能であり、下部がホック２５（雄側ホック２５ａおよび雌側ホック２５ｂ）によりカバー本体２１の下部と着脱可能である。これにより、カバー本体２１に取り付けられた荷物収納袋２２が、不用意に動くことがない。取付ファスナ２４は、例えば開閉自在なスライドファスナである。
【００４０】
また、荷物収納袋２２は、取付ファスナ２４およびホック２５によりカバー本体２１に取り付けた状態で、荷物を出し入れするための荷物出し入れ口を構成する荷物収納袋ファスナ２７が表側に位置する。これにより、荷物収納袋２２がカバー本体２１に取り付けられた状態で荷物の出し入れをすることが可能である。荷物収納袋ファスナ２７は、例えば開閉自在なスライドファスナである。
【００４１】
上述したように、荷物収納袋２２は、ランドセル１０の被せ蓋１３を閉めた状態においてカバー本体２１に着脱可能である。これにより、荷物収容袋２２に荷物を出し入れする場合に、ランドセル１０の被せ蓋１３を開ける必要がなく、荷物収容袋２２をランドセルカバー２０から着脱する場合に、ランドセル１０の被せ蓋１３を開ける必要がない。
【００４２】
図５は、本考案の実施形態に係るランドセルカバーの表面図であって、スライド防止ホックを備えたランドセルカバーの表面図である。
【００４３】
図５に示すように、ランドセルカバー２０は、スライド防止ホック２４ｂを備えることもできる。スライド防止ホック２４ｂは、カバー本体２１と荷物収納袋２２とを着脱可能にするための取付ファスナ２４の近傍に取り付けられている。特に、取付ファスナ２４を閉めた状態におけるスライダー２４ａの近傍に取り付けられている。
【００４４】
スライド防止ホック２４ｂは、雄側スライド防止ホックと雌側スライド防止ホックとから構成され、例えば、カバー本体２１に雄側スライド防止ホックが取り付けられ、荷物収納袋２２に雌側スライド防止ホックが取り付けられている。雄側スライド防止ホックを雌側スライド防止ホックに嵌め込むことにより、スライド防止ホック２４ｂが取付ファスナ２４のスライダー２４ａを覆う状態となり、スライダー２４ａのスライドを防止する。
【００４５】
スライド防止ホック２４ｂが取付ファスナ２４のスライダー２４ａを覆うことにより、不用意に取付ファスナ２４が開くのを防止することができる。例えば、振動等によって取付ファスナ２４が開き、荷物収納袋２２がカバー本体２１から外れてしまうのを防止することができる。
【００４６】
図６は、本考案の実施形態に係るランドセルカバーが備える荷物収納袋の表面図であり、図７は、本考案の実施形態に係るランドセルカバーが備える荷物収納袋の裏面図である。
【００４７】
荷物収納袋２２は、高さ、幅、マチを備える直方体形状の袋である。荷物収納袋２２の寸法は、例えば、高さ方向が３００〜３５０ｍｍ、幅方向が２５０〜３００ｍｍ、マチが７０〜１１０ｍｍである。
【００４８】
荷物収納袋２２は、図６に示すように、荷物を出し入れするための荷物出し入れ口を構成する荷物収納袋ファスナ２７を備える。
【００４９】
荷物収納袋２２は、図７に示すように、上部の長手方向の一縁に取付ファスナ２４の一方を備えている。取付ファスナ２４側の下部には、カバー本体２１が備える雌側ホック２５ｂと係合可能な２つの雄側ホック２５ａが固定されている。
【００５０】
荷物収納袋２２は、取付ファスナ２４を開け、雄側ホック２５ａを雌側ホック２５ｂから外すことにより、カバー本体２１から切り離すことが可能である。
【００５１】
荷物収納袋２２は、少なくとも１つの持ち手３２を有する。
持ち手３２は、例えば、ナイロンまたはポリエステル等の柔軟性のある材料で折り畳み自在に形成されている。持ち手３２は、その両端部が荷物収納袋２２の取付ファスナ２４側に縫合等の手段で取り付けられている。荷物収容袋２２は、独立した手提げバッグとして使用することが可能である。
【００５２】
従って、本実施の形態に係るランドセルカバー２０にあっては、通常は、いわゆるランドセルカバーとしてランドセルの被せ蓋に取り付けて被せ蓋を被覆し、雨天時等に被せ蓋を保護する。
【００５３】
また、ランドセル本体１１に収納しきれなかった荷物がある場合にはカバー本体２１から荷物収納袋２２を取り出して荷物を収納し、さらに、必要に応じて荷物収納袋２２をランドセルカバー２０から取り外して持ち手３２により手で持って搬送することもでき、また、登校時には学校の教室内の壁等に適宜設けられたフックに持ち手３２を係止させ荷物収納袋２２を掛けておくこともできる。
【００５４】
以上、本実施の形態を説明したが、本考案は、本実施の形態に限定されることなく、その要旨を逸脱しない範囲内で種々の変形実施をすることが可能である。
【００５５】
例えば、荷物収納袋２２は、持ち手３２を２つ備えることも可能である。
また、荷物収納袋ファスナ２７は、荷物収納袋２２の上部に備えることも可能である。
【産業上の利用可能性】
【００５６】
本考案は、ランドセルの被せ蓋を被うランドセルカバーに関するものであり、広く産業上の可能性を有している。
【符号の説明】
【００５７】
１０      ランドセル
１１      ランドセル本体
１１ａ    背板部
１１ｂ    底面部
１１ｃ    右側面部
１１ｄ    左側面部
１１ｅ    正面部
１２      開口部
１３      被せ蓋
１４      吊下げ金具
１５      ベロ
１６      サガリ金具
１７      肩ベルト
２０      ランドセルカバー
２１      カバー本体
２２      荷物収納袋
２３      ポケット
２４      取付ファスナ
２４ａ    スライダー
２４ｂ    スライド防止ホック
２５      ホック
２５ａ    雄側ホック
２５ｂ    雌側ホック
２６      ポケットファスナ
２７      荷物収納袋ファスナ
２８      取付片
２９      紐部材
３０      貫通孔
３１      帯部材
３２      持ち手
【図１】
0003224456.tif 000003
【図２】
0003224456.tif 000004
【図３】
0003224456.tif 000005
【図４】
0003224456.tif 000006
【図５】
0003224456.tif 000007
【図６】
0003224456.tif 000008
【図７】
0003224456.tif 000009